(57)【要約】【課題】車両内で携帯端末を利用するにあたり、消費電力を抑制することが可能な車載システム、携帯端末及びプログラムを提供する。【解決手段】車両情報を取得する車載装置２００と、表示操作部１０４と、現在位置を取得するＧＰＳ受信部１０５と、車載装置２００から前記車両情報を受信し、外部から地図情報を受信する受信部（外部接続部１０２及び通信部１０６）と、前記車両情報または前記地図情報の少なくともいずれかを表示操作部１０４に表示させる機能を実行する制御部１０１と、を有する携帯端末１００と、を備えてなる車載システムである。制御部１０１は、前記機能の実行中に前記車両情報または前記現在位置の変化に基づいて車両が停止している否かを判断し、前記車両が停止していると判断される場合には表示操作部１０４を消灯させるあるいは表示操作部１０４の表示輝度を通常時よりも低下させる。【選択図】図１
2014064105.tif 000002
【特許請求の範囲】
【請求項１】
車両情報を取得する車両情報取得手段と、
表示部と、現在位置を取得する現在位置取得部と、前記車両情報取得手段から前記車両情報を受信し、外部から地図情報を受信する受信部と、前記車両情報または前記地図情報の少なくともいずれかを前記表示部に表示させる機能を実行する制御部と、を有する携帯端末と、を備えてなる車載システムであって、
前記制御部は、前記機能の実行中に前記車両情報または前記現在位置の変化に基づいて車両が停止している否かを判断し、前記車両が停止していると判断される場合には前記表示部を消灯させるあるいは前記表示部の表示輝度を通常時よりも低下させることを特徴とする車載システム。
【請求項２】
車両情報を取得する車両情報取得手段と、
表示部と、現在位置を取得する現在位置取得部と、前記車両情報取得手段から前記車両情報を受信し、外部から地図情報を受信する受信部と、前記車両情報または前記地図情報の少なくともいずれかを前記表示部に表示させる機能を実行する制御部と、を有する携帯端末と、を備えてなる車載システムであって、
前記制御部は、前記機能の実行中に前記車両情報に基づいて車両が停止しているか否かを判断し、前記車両が停止していると判断される場合には前記現在位置取得部を停止させることを特徴とする車載システム。
【請求項３】
表示部と、現在位置を取得する現在位置取得部と、外部から車両情報と地図情報とを受信する受信部と、前記車両情報または前記地図情報の少なくともいずれかを前記表示部に表示させる機能を実行する制御部と、を有する携帯端末であって、
前記制御部は、前記機能の実行中に前記車両情報または前記現在位置の変化に基づいて車両が停止しているか否かを判断し、前記車両が停止していると判断される場合には前記表示部を消灯させるあるいは前記表示部の表示輝度を通常時よりも低下させることを特徴とする携帯端末。
【請求項４】
表示部と、現在位置を取得する現在位置取得部と、外部から車両情報と地図情報とを受信する受信部と、前記車両情報または前記地図情報の少なくともいずれかを前記表示部に表示させる機能を実行する制御部と、を有する携帯端末であって、
前記制御部は、前記機能の実行中に前記車両情報に基づいて車両が停止しているか否かを判断し、前記車両が停止していると判断される場合には前記現在位置取得部を停止させることを特徴とする携帯端末。
【請求項５】
コンピュータを
外部から受信した車両情報または地図情報の少なくともいずれかを表示部に表示させる機能の実行中に前記車両情報または現在位置を取得する現在位置取得部から受信した現在位置の変化に基づいて車両が停止しているか否かを判断し、前記車両が停止していると判断される場合には前記表示部を消灯させるあるいは前記表示部の表示輝度を通常時よりも低下させる制御部として機能させることを特徴とするプログラム。
【請求項６】
コンピュータを
外部から受信した車両情報または地図情報の少なくともいずれかを表示部に表示させる機能の実行中に前記車両情報に基づいて車両が停止しているか否かを判断し、前記車両が停止していると判断される場合には現在位置を取得する現在位置取得部を停止させる制御部として機能させることを特徴とするプログラム。
【発明の詳細な説明】
【技術分野】
【０００１】
本発明は、携帯端末を利用した車載システム、携帯端末及びプログラムに関する。
【背景技術】
【０００２】
近年、携帯電話に代表される携帯端末は高度に発達し、電話をかける、メールをする、ウェブブラウジングを楽しむ等の機能は当たり前となり、さらにＧＰＳ（Global  positioning  system）によるナビゲーション機能を備えるものも普及している。
さらには、メッセージやブログの更新等のＳＮＳ（Social  Networking  Service）への参加を行うコミュニケーション端末やクラウドコンピューティングサービスを利用するための端末としての機能も有し、携帯端末は今後も簡便にアプリケーションソフトをインストールすることで前述の機能以外にも様々に利用されることが予想される。
携帯端末のうち、前述のような多様な機能を有する高性能な携帯電話はスマートフォンと称され、世界中で急速に普及している。スマートフォンはいわば小型のコンピュータであり、１台で従来は屋内で使用していたアプリケーションを容易に屋外でも使用することができるため、様々な機能をいつでも、どこでも、どのような状況でも使用したいというニーズは今後も高まっていくと考えられる。
【０００３】
このような携帯端末を車両内でも利用するにあたり、例えば特許文献１には携帯端末の画面に表示される画像と同じ画像を、サイズの大きな車載装置のディスプレイ上に表示させる技術が記載されている。また、特許文献２には、携帯端末の表示部に、スピードメータなどの車両情報を表示するメータの画像を走行中の地図画像に重畳して表示する技術が開示されている。
【先行技術文献】
【特許文献】
【０００４】
【特許文献１】特開２００３−２４４３４３号公報
【特許文献２】特開２０１１−２３０７１０号公報
【発明の概要】
【発明が解決しようとする課題】
【０００５】
しかしながら、前述の技術においては、車両内において携帯端末に車両情報や地図情報を表示する場合、携帯端末は常時稼働している状態となるが、携帯端末は車載機器と比較してバッテリー容量が小さく、同時に充電を行うとしても使用時間に伴ってバッテリーの容量不足が生じるという問題点があった。
【０００６】
本発明は、上記の問題点に鑑みてなされたものであり、車両内で携帯端末を利用するにあたり、携帯端末の電力消費を抑制することが可能な車載システム、携帯端末及びプログラムを提供することを目的とする。
【０００７】
上記の課題を解決するため、本発明の車載システムは、
車両情報を取得する車両情報取得手段と、
表示部と、現在位置を取得する現在位置取得部と、前記車両情報取得手段から前記車両情報を受信し、外部から地図情報を受信する受信部と、前記車両情報または前記地図情報の少なくともいずれかを前記表示部に表示させる機能を実行する制御部と、を有する携帯端末と、を備えてなる車載システムであって、
前記制御部は、前記機能の実行中に前記車両情報または前記現在位置の変化に基づいて車両が停止している否かを判断し、前記車両が停止していると判断される場合には前記表示部を消灯させるあるいは前記表示部の表示輝度を通常時よりも低下させることを特徴とする。
【０００８】
上記の課題を解決するため、本発明の車載システムは、
車両情報を取得する車両情報取得手段と、
表示部と、現在位置を取得する現在位置取得部と、前記車両情報取得手段から前記車両情報を受信し、外部から地図情報を受信する受信部と、前記車両情報または前記地図情報の少なくともいずれかを前記表示部に表示させる機能を実行する制御部と、を有する携帯端末と、を備えてなる車載システムであって、
前記制御部は、前記機能の実行中に前記車両情報に基づいて車両が停止しているか否かを判断し、前記車両が停止していると判断される場合には前記現在位置取得部を停止させることを特徴とする。
【０００９】
上記の課題を解決するため、本発明の携帯端末は、
表示部と、現在位置を取得する現在位置取得部と、外部から車両情報と地図情報とを受信する受信部と、前記車両情報または前記地図情報の少なくともいずれかを前記表示部に表示させる機能を実行する制御部と、を有する携帯端末であって、
前記制御部は、前記機能の実行中に前記車両情報または前記現在位置の変化に基づいて車両が停止しているか否かを判断し、前記車両が停止していると判断される場合には前記表示部を消灯させるあるいは前記表示部の表示輝度を通常時よりも低下させることを特徴とする。
【００１０】
上記の課題を解決するため、本発明の携帯端末は、
表示部と、現在位置を取得する現在位置取得部と、外部から車両情報と地図情報とを受信する受信部と、前記車両情報または前記地図情報の少なくともいずれかを前記表示部に表示させる機能を実行する制御部と、を有する携帯端末であって、
前記制御部は、前記機能の実行中に前記車両情報に基づいて車両が停止しているか否かを判断し、前記車両が停止していると判断される場合には前記現在位置取得部を停止させることを特徴とする。
【００１１】
上記の課題を解決するため、本発明のプログラムは、
コンピュータを
外部から受信した車両情報または地図情報の少なくともいずれかを表示部に表示させる機能の実行中に前記車両情報または現在位置を取得する現在位置取得部から受信した現在位置の変化に基づいて車両が停止しているか否かを判断し、前記車両が停止していると判断される場合には前記表示部を消灯させるあるいは前記表示部の表示輝度を通常時よりも低下させる制御部として機能させることを特徴とする。
【００１２】
上記の課題を解決するため、本発明のプログラムは、
コンピュータを
外部から受信した車両情報または地図情報の少なくともいずれかを表示部に表示させる機能の実行中に前記車両情報に基づいて車両が停止しているか否かを判断し、前記車両が停止していると判断される場合には現在位置を取得する現在位置取得部を停止させる制御部として機能させることを特徴とする。
【発明の効果】
【００１３】
本発明によれば、車両内で携帯端末を利用するにあたり、携帯端末の消費電力を抑制することができる。
【図面の簡単な説明】
【００１４】
【図１】本発明の実施形態である車載システムの構成を示すブロック図。
【図２】同上車載システムの携帯電話の表示例を示す図。
【図３】同上車載システムの携帯電話の省電力制御を示すフローチャート図。
【図４】本発明の他の実施形態である車載システムの携帯電話の省電力制御を示すフローチャート図。
【発明を実施するための形態】
【００１５】
以下、本発明に係る一実施形態について図面を参照して説明する。なお、本発明は下記の実施形態（図面の内容も含む。）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１６】
図１は、本実施形態に係る車載システムの構成を示す図である。
車載システムは、携帯電話（携帯端末の一例）１００と、車両に搭載される車載装置（車両情報取得手段の一例）２００と、から構成されている。携帯電話１００と車載装置２００とは相互通信が可能なように有線接続あるいは無線接続される。
【００１７】
携帯電話１００は、制御部１０１、外部接続部１０２、記憶部１０３、表示操作部（表示部の一例）１０４、ＧＰＳ（Global  Positioning  System）受信部１０５、通信部１０６、アンテナ部１０７、を有する。
【００１８】
制御部１０１は、例えばマイクロコンピュータからなり、制御部１０１が実行する処理（携帯電話１００全体の制御など）を実際に行うＣＰＵ（Central  Processing  Unit）と、ＣＰＵのメインメモリとして機能するＲＡＭ（Random  Access  Memory）と、制御部１０１に後述の処理などを実行させる各種プログラムを記憶するＲＯＭ（Read  Only  Memory）と、制御部１０１に入出力される情報（信号）をＣＰＵ用にデジタル変換したり出力用にアナログ変換したりする各種変換器と、を備える。制御部１０１は、ＣＰＵに加えて、制御部１０１が行う処理の一部をＣＰＵに代わって実行するための各種専用回路（例えば、画像処理回路など）を備えても良い。
【００１９】
外部接続部１０２は、車載装置２００と接続されるものであり、有線あるいは無線通信インターフェースであり、例えば有線接続の場合にはＵＳＢ（Universal  Serial  Bus）などが用いられ、無線接続の場合にはＢｌｕｅｔｏｏｔｈ（登録商標）や無線ＬＡＮなどの近距離無線通信が用いられる。
【００２０】
記憶部１０３は、制御部１０１が処理を実行する際に使用するデータなどを記憶する。記憶部１０３は、フラッシュメモリなどのデータを書き換え可能な不揮発性記憶媒体などを含んで構成される。記憶部１０３は、メモリーカードなどの着脱容易なものを含んでもよい。
【００２１】
表示操作部１０４は、タッチパネルを備えたディスプレイであり、画像表示を行うとともに後述のアプリケーションの実行等を行うための操作部としての機能を備える。
【００２２】
ＧＰＳ受信部１０５は、ＧＰＳアンテナを有し、ＧＰＳ衛星からの送信データ（電波）を受信して現在位置を示す位置情報を生成する受信機である。すなわち、ＧＰＳ受信部１０５は、本実施形態における現在位置を取得する現在位置取得部として機能する。現在位置取得部は他の装置等を含んでもよい。ＧＰＳを用いて取得される現在位置は、公知の方法を適宜用いて取得すればよく、携帯電話の基地局の位置情報などのアシストデータを用いて適宜補正を行ってもよい。ＧＰＳ受信部１０５は、生成した現在位置を示す位置情報を制御部１０１に送信する。
【００２３】
通信部１０６は、各種復調器及び変調器を含み、例えばアンテナ部１０７を介して、インターネットなどのネットワークに接続され、外部の他の装置（例えばネットワークサーバ）からネットワークを介して供給された情報（画像やプログラムを含む）を受信して、制御部１０１に供給したり、制御部１０１が送信する情報を、ネットワークを介して他の装置に供給したりする。
【００２４】
本実施形態における携帯電話１００は、いわゆるスマートフォンと称される高機能携帯電話であり、制御部１０１内に複数種類のアプリケーション（プログラム）を格納しており、制御部１０１が各アプリケーションを実行することによって起動する通話機能、メール機能、ナビゲーション機能、音楽データ再生機能、写真データ再生機能、動画データ再生機能、地図表示機能あるいはウェブブラウジング機能などの多様な機能を備える。特に、本実施形態においては、携帯電話１００は、車両情報と地図情報を表示する車両情報／地図情報表示機能を有し、制御部１０１には、この車両情報／地図表示機能を実行するアプリケーションが格納されている。そして、携帯電話１００は、実行中のアプリケーションに対応した画像が表示操作部１０４に表示される。
【００２５】
車載装置２００は、例えば、制御ユニット２０１と、通信ユニット２０２と、を有する。
【００２６】
制御ユニット２０１は、例えば、制御ユニット２０１が実行する処理（車両情報の算出など）を実際に行うＣＰＵと、ＣＰＵのメインメモリとして機能するＲＡＭと、制御ユニット２０１に後述の処理などを実行させる各種プログラムを記憶するＲＯＭ、制御ユニット２０１に入出力される情報（信号）をＣＰＵ用にデジタル変換したり出力用にアナログ変換したりする各種変換器と、を樹脂材料等からなるケース体に収納してなる。制御ユニット２０１は、車両に搭載される各種センサから車両情報（車速、エンジン回転数、水温、油温、過給圧、油圧、燃圧などの車両に関する情報）を示す状態信号を受信し、車両情報の計測値を算出し、通信ユニット２０２に送信する。
【００２７】
通信ユニット２０２は、制御ユニット２０１と携帯電話１００とを接続するインターフェースであり、例えば制御ユニット２０１と接続されるコネクタと、携帯電話１００と接続するための有線あるいは無線通信インターフェースと、を樹脂材料等からなるケース体に収納してなるものである。通信ユニット２０２は、例えばＵＡＲＴ通信を用いて制御ユニット２０１から各種の車両情報を受信し、車両情報を携帯電話１００に送信する。なお、制御ユニット２０１と通信ユニット２０２とは、単一のケース体に収納されてもよい。
【００２８】
本車載システムにおいて、携帯電話１００と車載装置２００とが接続されると、制御部１０１及び制御ユニット２０１は互いに外部接続部１０２及び通信ユニット２０２を介して接続されたことを相互に認識する。携帯電話１００の制御部１０１は、車載装置２００と接続されたことを認識すると通常のモードから車載モードに移行し、制御ユニット２０１から通信ユニット２０２を介して車両情報を受信する。なお、車載モードは少なくとも車両情報の受信を行う動作モードであるが、その他車両内での利用に合わせて文字等の表示設定の切り換えやアプリケーションの一部制限などを自動的に行うものであってもよい。
【００２９】
図２は、携帯電話１００の車両情報／地図情報表示アプリケーションにおける表示例を示すものである。制御部１０１は、ユーザの選択操作等によって、車両情報／地図情報表示アプリケーションが起動すると、表示操作部１０４に、制御ユニット２０１から外部接続部１０２を介して受信した車両情報Ｃと、外部のネットワークサーバから通信部１０６を介して受信した地図情報Ｍと、を表示させる。図２では、車両情報Ｃとして、車速、エンジン回転数及び過給圧がデジタル表示されている。また、地図情報Ｍとしては、算出された現在位置Ｐを含む地図画像が表示される。地図情報Ｍ上の現在位置Ｐは、ＧＰＳ受信部１０５で取得される現在位置の位置情報に基づいてマップマッチングなどの公知の方法で特定される。なお、本実施形態において、外部接続部１０２と通信部１０６とで本発明の受信部として機能する。
【００３０】
次に、図３を用いて車両情報／地図情報表示アプリケーション実行中における携帯電話１００の省電力制御について説明する。なお、以下の省電力制御に係るプログラムは、車両情報／地図情報表示アプリケーションに含まれるものとする。
まず、ステップＳ１において、制御部１０１は、車両情報として少なくとも車速情報を受信し、車速情報の受信の有無によって車両が停止しているか否かを判断する。すなわち、車速情報の受信が一定時間無い場合には（ステップＳ１；「Ｙｅｓ」）、車速が０Ｋｍ／ｈであるため、車両が停止していると判断し、ステップＳ２に移行する。車速情報の受信がある場合には（ステップＳ１；「Ｎｏ」）、車両が移動している（停止していない）と判断して、再度ステップＳ１を実行する。なお、車速情報が一定値以下である場合に車両が停止していると判断してもよい。
制御部１０１は、ステップＳ１において車速情報の受信が一定時間無く、車両が停止していると判断した場合に、ステップＳ２において車両情報及び地図情報を表示している表示操作部１０４に対し、バックライトを消灯するなどしてその表示を消灯（非表示）させる。なお、完全に消灯させる他、通常時よりも表示輝度を低下させてもよい。
また、同様に、制御部１０１は、ステップＳ１において車両情報の受信が一定時間無く、車両が停止していると判断した場合に、ステップＳ３において稼働中のＧＰＳ受信部１０５を停止させる。
次に、制御部１０１は、ステップＳ４において車両情報の有無によって車両が停止しているか否かを判断する。すなわち、車速情報の受信があった場合には（ステップＳ４；「Ｙｅｓ」）、車両が移動した（停止していない）と判断して、ステップＳ５に移行する。車速情報の受信が一定時間ない場合には（ステップＳ４；「Ｎｏ」）、車両が停止していると判断して、再度ステップＳ４を実行する。
制御部１０１は、ステップＳ４において車両情報の受信があり、車両が移動したと判断した場合に、ステップＳ５において表示操作部１０４を点灯させて画像を表示させ、また、ステップＳ６において停止していたＧＰＳ受信部１０５を稼働させる。
これは、車両情報／地図情報表示アプリケーション実行中にあっては、ユーザ（運転者）は主に走行中の車両情報や地図情報を確認することに着目し、情報を確認する優先度の低い車両停止時に、消費電力が大きい表示操作部１０４の点灯とＧＰＳ受信部１０５の稼働とを中断することで、消費電力を抑えるものである。なお、車両停止中に情報を確認する場合や携帯電話１００が操作される場合があることを考慮して、所定の解除操作（例えば携帯電話１００のホームボタンの押下操作）によって、車両停止中であっても表示操作部１０４の消灯を解除可能としてもよい。
【００３１】
以上のように、本実施形態に係る車載システムは、車両情報を取得する車載装置２００と、表示操作部１０４と、現在位置を取得するＧＰＳ受信部１０５と、車載装置２００から前記車両情報を受信し、外部から地図情報を受信する外部接続部１０２及び通信部１０６と、前記車両情報または前記地図情報の少なくともいずれかを表示操作部１０４に表示させる機能を実行する制御部１０１と、を有する携帯電話１００と、を備えてなる車載システムであって、
制御部１０１は、前記機能の実行中に前記車両情報（車速情報）に基づいて車両が停止している否かを判断し、前記車両が停止していると判断される場合には表示操作部１０４を消灯させるあるいは表示操作部１０４の表示輝度を通常時よりも低下させる。
また、制御部１０１は、前記機能の実行中に前記車両情報に基づいて車両が停止しているか否かを判断し、前記車両が停止していると判断される場合にはＧＰＳ受信部１０５を停止させる。
これによれば、車両内で携帯端末を利用するにあたり、優先度の低い状況で消費電力の多い機能を一部停止させ、消費電力を抑制することが可能となる。
【００３２】
本実施形態に係る携帯電話１００は、表示操作部１０４と、現在位置を取得するＧＰＳ受信部１０５と、外部から車両情報と地図情報とを受信する外部接続部１０２及び通信部１０６と、前記車両情報または前記地図情報の少なくともいずれかを表示操作部１０４に表示させる機能を実行する制御部１０１と、を有し、
制御部１０１は、前記機能の実行中に前記車両情報に基づいて車両が停止しているか否かを判断し、前記車両が停止していると判断される場合には表示操作部１０４を消灯させるあるいは表示操作部１０４の表示輝度を通常時よりも低下させる。
また、制御部１０１は、前記機能の実行中に前記車両情報に基づいて車両が停止しているか否かを判断し、前記車両が停止していると判断される場合にはＧＰＳ受信部１０５を停止させる。
これによれば、車両内で携帯端末を利用するにあたり、優先度の低い状況で消費電力の多い機能を一部停止させ、消費電力を抑制することが可能となる。
【００３３】
本実施形態に係るプログラムは、携帯電話１００の制御部１０１を、外部から受信した車両情報または地図情報の少なくともいずれかを表示操作部１０４に表示させる機能の実行中に前記車両情報に基づいて車両が停止しているか否かを判断し、前記車両が停止していると判断される場合には表示操作部１０４を消灯させるあるいは表示操作部１０４の表示輝度を通常時よりも低下させる制御部として機能させる。
また、本実施形態に係るプログラムは、制御部１０１を、前記機能の実行中に前記車両情報に基づいて車両が停止しているか否かを判断し、前記車両が停止していると判断される場合にはＧＰＳ受信部１０５を停止させる制御部として機能させる。
これによれば、車両内で携帯端末を利用するにあたり、優先度の低い状況で消費電力の多い機能を一部停止させ、消費電力を抑制することが可能となる。
【００３４】
次に、図４を用いて、本発明の他の実施形態について説明する。他の実施形態が前述の実施形態と異なる点は、車両情報／地図情報表示アプリケーションの実行中における省電力制御の方法である。なお、前述の実施形態と同一あるいは相当箇所には同一符号を付してその詳細は省略する。また、以下の省電力制御のプログラムは、車両情報／地図情報表示アプリケーションに含まれるものとする。
【００３５】
まず、ステップＳ１１において、制御部１０１は、ＧＰＳ受信部１０５から受信した現在位置の変化の有無によって車両が停止しているか否かを判断する。すなわち、現在位置に一定時間変化がない場合には（ステップＳ１１；「Ｙｅｓ」）、車両が停止していると判断し、ステップＳ１２に移行する。現在位置に変化がある場合には（ステップＳ１１；「Ｎｏ」）、車両が移動している（停止していない）と判断して、再度ステップＳ１１を実行する。なお、現在位置の変化が一定値以下である場合に車両が停止していると判断してもよい。
制御部１０１は、ステップＳ１１において現在位置の変化が一定時間無く、車両が停止していると判断した場合に、ステップＳ１２において車両情報及び地図情報を表示している表示操作部１０４に対し、バックライトを消灯するなどしてその表示を消灯（非表示）させる。なお、完全に消灯させる他、通常時よりも表示輝度を低下させてもよい。
次に、制御部１０１は、ステップＳ１３において現在位置の変化の有無によって車両が停止しているか否かを判断する。すなわち、現在位置の変化があった場合には（ステップＳ１３；「Ｙｅｓ」）、車両が移動した（停止していない）と判断して、ステップＳ１４に移行する。現在位置の変化が一定時間ない場合には（ステップＳ１３；「Ｎｏ」）、車両が停止していると判断して、再度ステップＳ１３を実行する。
制御部１０１は、ステップＳ１３において現在位置の変化があり、車両が移動したと判断した場合に、ステップＳ１４において表示操作部１０４を点灯させて画像を表示させる。
以上の方法によっても、情報を確認する優先度の低い車両停止時に、消費電力が大きい表示操作部１０４の点灯を中断することで、消費電力を抑えることができる。
【００３６】
以上のように、他の実施形態に係る車載システムは、車両情報を取得する車載装置２００と、表示操作部１０４と、現在位置を取得するＧＰＳ受信部１０５と、車載装置２００から前記車両情報を受信し、外部から地図情報を受信する外部接続部１０２及び通信部１０６と、前記車両情報または前記地図情報の少なくともいずれかを表示操作部１０４に表示させる機能を実行する制御部１０１と、を有する携帯電話１００と、を備えてなる車載システムであって、
制御部１０１は、前記機能の実行中に前記現在位置の変化に基づいて車両が停止している否かを判断し、前記車両が停止していると判断される場合には表示操作部１０４を消灯させるあるいは表示操作部１０４の表示輝度を通常時よりも低下させる。
これによれば、車両内で携帯端末を利用するにあたり、優先度の低い状況で消費電力の多い機能を一部停止させ、消費電力を抑制することが可能となる。
【００３７】
本実施形態に係る携帯電話１００は、表示操作部１０４と、現在位置を取得するＧＰＳ受信部１０５と、外部から車両情報と地図情報とを受信する外部接続部１０２及び通信部１０６と、前記車両情報または前記地図情報の少なくともいずれかを表示操作部１０４に表示させる機能を実行する制御部１０１と、を有し、
制御部１０１は、前記機能の実行中に前記現在位置の変化に基づいて車両が停止しているか否かを判断し、前記車両が停止していると判断される場合には表示操作部１０４を消灯させるあるいは表示操作部１０４の表示輝度を通常時よりも低下させる。
これによれば、車両内で携帯端末を利用するにあたり、優先度の低い状況で消費電力の多い機能を一部停止させ、消費電力を抑制することが可能となる。
【００３８】
本実施形態に係るプログラムは、携帯電話１００の制御部１０１を、外部から受信した車両情報または地図情報の少なくともいずれかを表示操作部１０４に表示させる機能の実行中に前記現在位置の変化に基づいて車両が停止しているか否かを判断し、前記車両が停止していると判断される場合には表示操作部１０４を消灯させるあるいは表示操作部１０４の表示輝度を通常時よりも低下させる制御部として機能させる。
これによれば、車両内で携帯端末を利用するにあたり、優先度の低い状況で消費電力の多い機能を一部停止させ、消費電力を抑制することが可能となる。
【００３９】
以上のように、本発明の実施形態を説明したが、本発明は携帯電話以外の携帯端末についても利用できる。携帯端末の例としては、携帯電話に近似のタブレット型デバイスやポータブルインターネットデバイス、ＰＤＡ（Personal  Digital  Assistant）などが上げられる。
【００４０】
また、前述の実施形態においては、携帯電話１００の表示操作部１０４に車両情報及び地図情報を表示する車両情報／地図情報表示機能を例に挙げて説明したが、本発明を車両情報を表示するメータ表示機能や地図情報を表示する地図情報表示機能、あるいは地図情報と経路情報とを表示するナビゲーション機能を実行する場合に適用してもよい。
【００４１】
また、前述の実施形態に係るプログラムは、車両情報／地図情報表示アプリケーションに含まれるものであったが、これに限られない。例えば、車両情報／地図情報表示アプリケーションの実行に伴って起動する別個のプログラムであってもよい。
【産業上の利用可能性】
【００４２】
本発明は、携帯端末を車両内で利用する車載システム、携帯端末及びプログラムに好適である。
【符号の説明】
【００４３】
１００  携帯電話
１０１  制御部
１０２  外部接続部
１０３  記憶部
１０４  表示操作部
１０５  ＧＰＳ受信部
１０６  通信部
１０７  アンテナ部
２００  車載装置
２０１  制御ユニット
２０２  通信ユニット
【図１】
2014064105.tif 000003
【図２】
2014064105.tif 000004
【図３】
2014064105.tif 000005
【図４】
2014064105.tif 000006